(57)【要約】【課題】視認しやすい合計金額の表示を行う。【解決手段】入力部１１０が、商品にあらかじめ付与されている商品識別情報を携帯登録端末１００へ入力し、登録部１２０が、入力された商品識別情報を登録し、表示部１３０が、登録部１２０に登録された商品識別情報に応じた商品の合計金額を表示し、携帯登録端末１００に対して所定の操作が行われた場合、その合計金額を拡大して表示し、送信部１４０が、登録部１２０に登録された商品識別情報を精算端末２００へ送信し、精算端末２００が精算を行う。【選択図】図１
2012113528.tif 000002
【特許請求の範囲】
【請求項１】
購入する商品を登録する携帯登録端末と、該携帯登録端末から送信されてきた情報に基づいて、該商品の精算を行う精算端末とから構成されたＰＯＳシステムにおいて、
前記携帯登録端末は、
前記商品にあらかじめ付与されている、該商品を識別可能な商品識別情報を当該携帯登録端末へ入力する入力部と、
前記入力部が入力した商品識別情報を登録する登録部と、
前記登録部が登録した商品識別情報に応じた商品の合計金額を表示する表示部と、
前記登録部が登録した商品識別情報を前記精算端末へ送信する送信部とを有し、
前記表示部は、当該携帯登録端末に対して所定の操作が行われた場合、前記合計金額を拡大して表示することを特徴とするＰＯＳシステム。
【請求項２】
請求項１に記載のＰＯＳシステムにおいて、
前記表示部は、前記合計金額を拡大して表示する際、該合計金額に応じたポイント数を拡大して表示することを特徴とするＰＯＳシステム。
【請求項３】
請求項１に記載のＰＯＳシステムにおいて、
前記表示部は、タッチパネル機能を具備し、所定のボタンを表示し、該表示されたボタンに接触が感知された場合、前記合計金額を拡大して表示することを特徴とするＰＯＳシステム。
【請求項４】
請求項１に記載のＰＯＳシステムにおいて、
前記携帯登録端末は、所定のボタンキーを有し、
前記表示部は、前記ボタンキーが押下された場合、前記合計金額を拡大して表示することを特徴とするＰＯＳシステム。
【請求項５】
請求項１に記載のＰＯＳシステムにおいて、
前記入力部は、バーコードリーダ機能と２次元コードリーダ機能とＩＣタグリーダ機能との少なくとも１つの機能を具備し、該機能を用いて読み取った商品識別情報を当該携帯登録端末へ入力することを特徴とするＰＯＳシステム。
【請求項６】
購入する商品を登録する携帯登録端末であって、
前記商品にあらかじめ付与されている、該商品を識別可能な商品識別情報を当該携帯登録端末へ入力する入力部と、
前記入力部が入力した商品識別情報を登録する登録部と、
前記登録部が登録した商品識別情報に応じた商品の合計金額を表示する表示部と、
前記登録部が登録した商品識別情報を、前記商品の精算を行う精算端末へ送信する送信部とを有し、
前記表示部は、当該携帯登録端末に対して所定の操作が行われた場合、前記合計金額を拡大して表示する携帯登録端末。
【請求項７】
購入する商品を登録する携帯登録端末に、登録された商品の合計金額を表示する表示方法あって、
当該携帯登録端末の外部からの操作に応じて、前記商品にあらかじめ付与されている、該商品を識別可能な商品識別情報を当該携帯登録端末へ入力する処理と、
前記入力された商品識別情報を登録する処理と、
前記登録された商品識別情報に応じた商品の合計金額を表示する処理と、
当該携帯登録端末に対して所定の操作が行われた場合、前記合計金額を拡大して表示する処理と、
前記登録された商品識別情報を、前記商品の精算を行う精算端末へ送信する処理とを行う表示方法。
【請求項８】
商品を登録する携帯登録端末に、
当該携帯登録端末の外部からの操作に応じて、前記商品にあらかじめ付与されている、該商品を識別可能な商品識別情報を当該携帯登録端末へ入力する手順と、
前記入力された商品識別情報を登録する手順と、
前記登録された商品識別情報に応じた商品の合計金額を表示する手順と、
当該携帯登録端末に対して所定の操作が行われた場合、前記合計金額を拡大して表示する手順と、
前記登録された商品識別情報を、前記商品の精算を行う精算端末へ送信する手順とを実行させるためのプログラム。
【発明の詳細な説明】
【技術分野】
【０００１】
本発明は、購入する商品の登録を携帯登録端末上で行うＰＯＳシステム、携帯登録端末、表示方法およびプログラムに関する。
【背景技術】
【０００２】
近年、購入する商品を登録するための携帯登録端末（例えば、ＰＤＡ（Ｐｅｒｓｏｎａｌ  Ｄｉｇｉｔａｌ  Ａｓｓｉｓｔａｎｔ）等）を利用者が所持し、購入する商品を登録していき、精算時に当該携帯登録端末から精算を行うための精算端末へ、その登録した商品の情報を送信して精算を行うＰＯＳシステム（Ｐｏｉｎｔ  Ｏｆ  Ｓａｌｅｓ  ｓｙｓｔｅｍ）が考えられている（例えば、特許文献１参照。）。この携帯登録端末には、登録した商品の合計金額等が表示される。
【先行技術文献】
【特許文献】
【０００３】
【特許文献１】特開平０４−２９３１９８号公報
【発明の概要】
【発明が解決しようとする課題】
【０００４】
しかしながら、上述したようなＰＯＳシステムで用いられる携帯登録端末は、利用者が携帯可能なものであるため、小型のものである。そのため、当該携帯登録端末に具備されたディスプレイ等の表示部の大きさは、大きなものとは言えない。したがって、このような小さなディスプレイに表示される合計金額を視認し辛いという問題点がある。
【０００５】
本発明の目的は、上述した課題を解決するＰＯＳシステム、携帯登録端末、表示方法およびプログラムを提供することである。
【課題を解決するための手段】
【０００６】
本発明のＰＯＳシステムは、
購入する商品を登録する携帯登録端末と、該携帯登録端末から送信されてきた情報に基づいて、該商品の精算を行う精算端末とから構成されたＰＯＳシステムにおいて、
前記携帯登録端末は、
前記商品にあらかじめ付与されている、該商品を識別可能な商品識別情報を当該携帯登録端末へ入力する入力部と、
前記入力部が入力した商品識別情報を登録する登録部と、
前記登録部が登録した商品識別情報に応じた商品の合計金額を表示する表示部と、
前記登録部が登録した商品識別情報を前記精算端末へ送信する送信部とを有し、
前記表示部は、当該携帯登録端末に対して所定の操作が行われた場合、前記合計金額を拡大して表示する。
【０００７】
また、本発明の携帯登録端末は、
購入する商品を登録する携帯登録端末であって、
前記商品にあらかじめ付与されている、該商品を識別可能な商品識別情報を当該携帯登録端末へ入力する入力部と、
前記入力部が入力した商品識別情報を登録する登録部と、
前記登録部が登録した商品識別情報に応じた商品の合計金額を表示する表示部と、
前記登録部が登録した商品識別情報を、前記商品の精算を行う精算端末へ送信する送信部とを有し、
前記表示部は、当該携帯登録端末に対して所定の操作が行われた場合、前記合計金額を拡大して表示する。
【０００８】
また、本発明の表示方法は、
購入する商品を登録する携帯登録端末に、登録された商品の合計金額を表示する表示方法あって、
当該携帯登録端末の外部からの操作に応じて、前記商品にあらかじめ付与されている、該商品を識別可能な商品識別情報を当該携帯登録端末へ入力する処理と、
前記入力された商品識別情報を登録する処理と、
前記登録された商品識別情報に応じた商品の合計金額を表示する処理と、
当該携帯登録端末に対して所定の操作が行われた場合、前記合計金額を拡大して表示する処理と、
前記登録された商品識別情報を、前記商品の精算を行う精算端末へ送信する処理とを行う。
【０００９】
また、本発明のプログラムは、
商品を登録する携帯登録端末に実行させるためのプログラムであって、
当該携帯登録端末の外部からの操作に応じて、前記商品にあらかじめ付与されている、該商品を識別可能な商品識別情報を当該携帯登録端末へ入力する手順と、
前記入力された商品識別情報を登録する手順と、
前記登録された商品識別情報に応じた商品の合計金額を表示する手順と、
当該携帯登録端末に対して所定の操作が行われた場合、前記合計金額を拡大して表示する手順と、
前記登録された商品識別情報を、前記商品の精算を行う精算端末へ送信する手順とを実行させる。
【発明の効果】
【００１０】
以上説明したように、本発明においては、視認しやすい合計金額の表示を行うことができる。
【図面の簡単な説明】
【００１１】
【図１】本発明のＰＯＳシステムの実施の一形態を示す図である。
【図２】図１に示した形態における表示方法を説明するためのフローチャートである。
【図３】合計金額等が拡大表示される前の表示部に表示された画面の一例を示す図である。
【図４】図３に示したボタン表示に接触が感知された場合に表示部に拡大表示される合計金額等の一例を示す図である。
【図５】合計金額等が拡大表示される前の表示部に表示された画面の他の例を示す図である。
【図６】図４に示したボタン表示に接触が感知された場合に表示部に拡大表示される合計金額等の一例を示す図である。
【発明を実施するための形態】
【００１２】
以下に、本発明の実施の形態について図面を参照して説明する。
【００１３】
図１は、本発明のＰＯＳシステムの実施の一形態を示す図である。
【００１４】
本形態は図１に示すように、携帯登録端末１００と、精算端末２００とから構成されている。
【００１５】
携帯登録端末１００は、利用者が携帯し、購入する商品を登録する端末装置である。携帯登録端末１００は、ＰＤＡ等の情報の入力および表示が可能な電子機器である。
【００１６】
また、携帯登録端末１００には図１に示すように、入力部１１０と、登録部１２０と、表示部１３０と、送信部１４０とが設けられている。
【００１７】
入力部１１０は、商品にあらかじめ付与されている、その商品を識別可能な商品識別情報を携帯登録端末１００へ入力する。入力部１１０は、バーコードリーダ機能、または２次元コードリーダ機能、またはＩＣ（Ｉｎｔｅｇｒａｔｅｄ  Ｃｉｒｃｕｉｔ）タグリーダ機能を具備するものであっても良い。また、これらの機能のうち、２つ以上の機能を具備するものであっても良い。例えば、入力部１１０は、バーコードリーダ機能を具備する場合、商品に付けられたバーコードを読み取ることにより、当該バーコードが示す商品識別情報を携帯登録端末１００に入力する。また、入力部１１０は、２次元コードリーダ機能を具備する場合、商品に付けられた２次元コードを読み取ることにより、当該２次元コードが示す商品識別情報を携帯登録端末１００へ入力する。また、入力部１１０は、ＩＣタグリーダ機能を具備する場合、商品に付けられたＩＣタグに書き込まれた商品識別情報を読み取ることにより、当該商品識別情報を携帯登録端末１００へ入力する。また、商品識別情報が示す商品の個数の入力があった場合、その個数も携帯登録端末１００へ入力する。
【００１８】
登録部１２０は、入力部１１０が入力した商品識別情報を登録する。このとき、登録部１２０は、情報を保持可能なメモリ等の記憶媒体に商品識別情報（商品名を含む）やその単価、個数を格納する。登録部１２０は、購入開始から精算を行うまでに取得（入力）した商品識別情報を１つの群として登録し、その合計金額や、合計金額に応じたポイント数を計算して登録する。このポイント数は、一般的に買い物を行った際に購入金額に応じて付与されるものと同じであり、商品やサービスの購入に使用できるものである。
【００１９】
表示部１３０は、登録部１２０が登録した商品識別情報に応じた商品の合計金額を表示する。また、表示部１３０は、合計金額に応じたポイント数を表示する。
【００２０】
また、表示部１３０は、携帯登録端末１００に対して所定の操作が行われた場合、登録部１２０に登録されている合計金額を拡大して表示する。ここで、表示部１３０がタッチパネル機能を具備している場合、表示部１３０が所定のボタンを表示し、そのボタンに対して接触が感知されると、所定の操作が行われたと判定するものであっても良い。また、携帯登録端末１００が表示部１３０の外部に所定のボタンキーを具備している場合、そのボタンキーが押下されると、所定の操作が行われたと判定するものであっても良い。
【００２１】
また、表示部１３０は、合計金額を拡大表示する際、その合計金額に応じたポイント数（登録部１２０に登録されているもの）を拡大表示するものであっても良い。
【００２２】
送信部１４０は、登録部１２０が登録した商品識別情報等の情報を精算端末２００へ送信する。この送信するタイミングは、利用者の買い物が終了し、携帯登録端末１００に所定の操作が行われたときである。この送信には、無線通信が用いられるものであっても良い。
【００２３】
精算端末２００は、携帯登録端末１００から送信されてきた情報に基づいて、商品の精算を行う。
【００２４】
以下に、本形態における表示方法について説明する。
【００２５】
図２は、図１に示した形態における表示方法を説明するためのフローチャートである。
【００２６】
まず、入力部１１０に商品識別情報の入力があったかどうかが判定され（ステップＳ１）、入力があった場合、当該商品が登録部１２０によって登録される（ステップＳ２）。この登録は、上述したように、商品識別情報、個数、単価等の登録である。
【００２７】
商品の登録がされると、登録された商品の合計金額が計算される（ステップＳ３）。この計算の主体は、登録部１２０であっても良いし、他の構成要素、例えば、携帯登録端末１００全体を制御するＣＰＵ等の制御部（不図示）であっても良い。
【００２８】
すると、計算された合計金額が表示部１３０に表示される（ステップＳ４）。このとき、上述したように、表示部１３０がタッチパネル機能を具備している場合、拡大表示を行うためのボタンが表示されるものであっても良い。
【００２９】
その後、携帯登録端末１００に対して拡大表示を行うための所定の操作が行われたかどうかが判定され（ステップＳ５）、当該操作が行われた場合、ステップＳ４にて表示されている合計金額が表示部１３０によって拡大表示される（ステップＳ６）。この拡大表示の拡大率については、一般的に視認が容易な大きさに拡大されるものであれば良く、ここでは特に規定しない。
【００３０】
当該操作が行われない場合は、ステップＳ６の処理は行われない。
【００３１】
その後、携帯登録端末１００に精算を行うための所定の操作が行われたかどうかが判定され（ステップＳ７）、当該操作が行われた場合、登録部１２０に当該利用者によって登録された商品の情報が送信部１４０から精算端末２００へ送信され（ステップＳ８）、精算端末２００にて精算処理が行われる（ステップＳ９）。
【００３２】
一方、ステップＳ７にて、当該操作が行われない場合は、ステップＳ１の処理が行われる。
【００３３】
図３は、合計金額等が拡大表示される前の表示部１３０に表示された画面の一例を示す図である。
【００３４】
図３に示すように、商品ごとの単価や数量および合計金額が表示部１３０に表示されている。また、表示部１３０の左上の隅に、「表示」と書かれたボタン表示１３１が表示される。このボタン表示１３１が、合計金額等を拡大表示させるためのボタンである。
【００３５】
図４は、図３に示したボタン表示１３１に接触が感知された場合に表示部１３０に拡大表示される合計金額等の一例を示す図である。
【００３６】
図４に示すように、図３にて表示部１３０に表示された合計金額であるお買上金額およびポイント数である点数が拡大表示される。また、「戻る」と記載された戻るボタン１３２が表示部１３０に表示される。戻るボタン１３２に接触が感知された場合、表示部１３０に表示される画面が、図３に示した表示画面に戻る。
【００３７】
図５は、合計金額等が拡大表示される前の表示部１３０に表示された画面の他の例を示す図である。
【００３８】
図５に示すように、合計金額を含む、商品を精算するための金額が表示部１３０に表示されている。また、表示部１３０の左上の隅に、「表示」と書かれたボタン表示１３１が表示される。このボタン表示１３１は図３に示したものと同じであり、合計金額等を拡大表示させるためのボタンである。
【００３９】
図６は、図４に示したボタン表示１３１に接触が感知された場合に表示部１３０に拡大表示される合計金額等の一例を示す図である。
【００４０】
図６に示すように、図４にて表示部１３０に表示された合計金額であるお買上金額およびポイント数である点数が拡大表示される。また、「戻る」と記載された戻るボタン１３２が表示部１３０に表示される。戻るボタン１３２に接触が感知された場合、表示部１３０に表示される画面が、図５に示した表示画面に戻る。
【００４１】
このように、購入する商品をすべてを登録した後の精算時にかかわらず、登録中であっても、合計金額等の拡大表示が可能である。
【００４２】
以上説明したように本発明のおいては、ＰＯＳシステムにおいて使用される携帯登録端末１００に表示される商品の合計金額を、所定の操作により拡大表示させることができる。これにより、小さなディスプレイに表示された合計金額であっても、視認容易に表示することが実現できる。
【００４３】
上述した携帯登録端末１００に設けられた各構成要素が行う処理は、目的に応じてそれぞれ作製された論理回路で行うようにしても良い。また、処理内容を手順として記述したコンピュータプログラム（以下、プログラムと称する）を携帯登録端末１００にて読取可能な記録媒体に記録し、この記録媒体に記録されたプログラムを携帯登録端末１００に読み込ませ、実行するものであっても良い。携帯登録端末１００にて読取可能な記録媒体とは、フロッピー（登録商標）ディスク、光磁気ディスク、ＤＶＤ、ＣＤなどの移設可能な記録媒体の他、携帯登録端末１００に内蔵されたＲＯＭ、ＲＡＭ等のメモリやＨＤＤ等を指す。この記録媒体に記録されたプログラムは、携帯登録端末１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００４４】
１００    携帯登録端末
１１０    入力部
１２０    登録部
１３０    表示部
１３１    ボタン表示
１３２    戻るボタン表示
１４０    送信部
２００    精算端末
【図１】
2012113528.tif 000003
【図２】
2012113528.tif 000004
【図３】
2012113528.tif 000005
【図４】
2012113528.tif 000006
【図５】
2012113528.tif 000007
【図６】
2012113528.tif 000008